(57)【要約】【課題】発射装置を外部振動から保護することができる弾球遊技機を提供すること。【解決手段】遊技球を用いた所定の遊技が行われる遊技領域１１０に向けて遊技球を発射する発射装置１１６と、発射装置１１６によって発射された遊技球を遊技領域１１０に誘導する誘導レール１１８、１１９とを備え、誘導レール１１９の端部に遊技球を所定位置に保持するための発射台２２１を設け、発射台２２１上の遊技球を発射装置１１６の発射位置に保持する保持部１４９を発射台２２１とは独立して設けるようにパチンコ遊技機１００を構成する。【選択図】      図４
2004230008.tif 000002
【特許請求の範囲】
【請求項１】
遊技球を用いた所定の遊技が行われる遊技領域に向けて該遊技球を発射する発射装置と、
前記発射装置によって発射された遊技球を前記遊技領域に誘導する誘導部材とを備えた弾球遊技機において、
前記誘導部材の端部に遊技球を所定位置に保持するための発射台を設け、前記発射台上の遊技球を前記発射装置の発射位置に保持する保持部を前記発射台とは独立して設けることを特徴とする弾球遊技機。
【請求項２】
前記発射装置は、磁気回路を構成するソレノイド組立体と、前記ソレノイド組立体を保持するためのハウジングとを備え、前記ハウジングに前記保持部を設けることを特徴とする請求項１に記載の弾球遊技機。
【請求項３】
前記発射台は、前記誘導部材を延設してなることを特徴とする請求項１または請求項２に記載の弾球遊技機。
【発明の詳細な説明】
【０００１】
【発明の属する技術分野】
本発明は、遊技球を用いた所定の遊技が行われる遊技領域に向けて遊技球を発射するようになされた弾球遊技機に関する。
【０００２】
【従来の技術】
従来、パチンコ遊技機、アレンジボールなどの弾球遊技機にあっては、遊技球を用いた所定の遊技が行われる遊技領域に向けて遊技球を発射する発射装置を備えたものが普及しており、この発射装置の一例として、磁気回路を構成するソレノイドと、ソレノイドに対して往復運動自在に支持されたロッドとを有し、ロッドによって遊技球を打撃することにより遊技球を発射する、所謂、直動ソレノイド方式の発射装置が知られている（例えば、特許文献１参照）。
【０００３】
【特許文献１】
特開２００２−１７９８１号公報（第３頁、第２図）
【０００４】
【発明が解決しようとする課題】
上記従来の弾球遊技機にあっては、ソレノイドおよびロッドを含むソレノイド組立体をハウジングの内部に収容することにより、発射装置を外部振動から保護するようになっている。本発明は、上記従来の弾球遊技機にさらなる改良を加えることにより、発射装置を外部振動から保護することができる弾球遊技機を提供することを目的とする。
【０００５】
【課題を解決するための手段】
上記課題を解決するために、本発明に係る弾球遊技機は、遊技球を用いた所定の遊技が行われる遊技領域に向けて該遊技球を発射する発射装置と、前記発射装置によって発射された遊技球を前記遊技領域に誘導する誘導部材とを備えた弾球遊技機において、前記誘導部材の端部に遊技球を所定位置に保持するための発射台を設け、前記発射台上の遊技球を前記発射装置の発射位置に保持する保持部を前記発射台とは独立して設けることを特徴としている。
【０００６】
この構成により、本発明に係る弾球遊技機は、誘導部材が発射装置から分離されているので、誘導部材の振動が発射装置に伝達されることがなく、発射装置を外部振動から保護することができる。
【０００７】
また、本発明に係る弾球遊技機は、前記発射装置は、磁気回路を構成するソレノイド組立体と、前記ソレノイド組立体を保持するためのハウジングとを備え、前記ハウジングに前記保持部を設けることを特徴としている。
【０００８】
この構成により、本発明に係る弾球遊技機は、発射装置のハウジングに保持部を設けるので、発射装置の発射位置に対して保持部の位置を正確に決めることができる。
【０００９】
また、本発明に係る弾球遊技機は、前記発射台は、前記誘導部材を延設してなることを特徴としている。
【００１０】
この構成により、本発明に係る弾球遊技機は、発射台が誘導部材を延設してなるので、発射装置の発射位置に対して発射台の位置を正確に決めることができる。
【００１１】
【発明の実施の形態】
以下、本発明の好ましい実施形態を図面に基づいて説明する。
【００１２】
図１〜図６は、本発明に係る弾球遊技機の一実施形態を示す図である。なお、本実施形態では、本発明に係る弾球遊技機をパチンコ遊技機に適用しているが、パチンコ遊技機の他にもアレンジボールなどのように、遊技球を発射する装置を備えた弾球遊技機に適用することができる。
【００１３】
まず、本発明に係る弾球遊技機の構成を説明する。
【００１４】
本発明に係る弾球遊技機としてのパチンコ遊技機１００は、図１に示すように、複数の板材１０１ａ、１０１ｂ、１０１ｃ、１０１ｄによって構成された枠体１０１と、一対のヒンジ１０２を介して枠体１０１に取り付けられた本体１０３とを備えている。なお、本実施形態では、パチンコ遊技機１００の各方向について、板材１０１ａ側を上方、板材１０１ｂ側を下方、板材１０１ｃ側を左方、板材１０１ｄ側を右方として説明する。
【００１５】
本体１０３の上部には、ガラス窓１０４を有する前面扉１０５が開閉自在に取り付けられており、前面扉１０５には、遊技状態に応じて音声を出力する左右のスピーカ１０６、１０７、遊技状態に応じて点灯する上下のランプ１０８、１０９が設けられている。
【００１６】
前面扉１０５の内側には、図２に示すように、遊技球（パチンコ球）を用いた所定の遊技が行われる略円形の遊技領域１１０が形成された遊技盤１１１が配置されている。遊技盤１１１には、遊技球を誘導する誘導レール１２８、１２９が設けられており、誘導レール１２８、１２９の間には、誘導通路１２７が形成されている。遊技領域１１０は、ガラス窓１０４に覆われており、パチンコ遊技機１００の外部から視認可能になっている。
【００１７】
一方、本体１０３の下部には、貸し球または賞球として払い出された遊技球を収容する上皿１１２、図示しない排出通路を介して上皿１１２から排出された遊技球を収容する下皿１１３、遊技者によって回動操作されるハンドル１１４が設けられている。
【００１８】
上皿１１２の内側には、図３に示すように、遊技盤１１１に対して略平行に配置されたベースプレート１１５と、ベースプレート１１５に支持され、遊技領域１１０に向けて遊技球を発射する発射装置１１６とが設けられている。ベースプレート１１５には、発射装置１１６によって発射された遊技球を遊技領域１１０に誘導する誘導部材としての誘導レール１１８、１１９が設けられており、誘導レール１１８、１１９の間には、誘導通路１１７が形成されている。
【００１９】
また、上皿１１２の内側には、上皿１１２に収容された遊技球を発射装置１１６に供給する図示しない供給装置が設けられている。供給装置によって供給された遊技球は、ハンドル１１４の回動量に応じて遊技盤１１１に発射されるようになっている。
【００２０】
このように構成されたパチンコ遊技機１００において、発射装置１１６によって発射された遊技球は、誘導通路１１７および誘導通路１２７に沿って左上方に移動し、遊技領域１１０に打ち出されるようになっている。遊技領域１１０に打ち出された遊技球は、遊技釘、風車などに当接しながら遊技領域１１０を流下し、何れかの入賞口に入賞するか、または、回収口からアウト球として回収されるようになっている。一方、遊技領域１１０に打ち出されなかった遊技球は、誘導通路１２７に沿って下方に流下し、誘導通路１２７と誘導通路１１７との間に形成された戻り口１３７から戻り球として回収され、図示しない排出通路を介して下皿１１３に排出されるようになっている。
【００２１】
発射装置１１６は、図４に示すように、複数のネジ１３８によってベースプレート１１５に固定されたハウジング１４０と、ハウジング１４０に保持されたソレノイド組立体１６０とを有しており、ロッド１６７が左上方に向けて傾斜するように配置されている。なお、本実施形態では、発射装置１１６の各方向について、ロッド１６７の左上方側を前方、ロッド１６７の右下方側を後方として説明する。
【００２２】
ハウジング１４０は、ベースプレート１１５に装着された第１ハウジング１４１と、第１ハウジング１４１に結合された第２ハウジング１４２とによって構成されており、ベースプレート１１５に対して略平行であるとともにロッド１６７の中心軸を通過する平面において２分割されている。第１ハウジング１４１と第２ハウジング１４２との間には、ソレノイド組立体１６０を収容する収容空間１４３が形成されている。
【００２３】
第１ハウジング１４１は、図５（ａ）に示すように、収容空間１４３の半分が形成された収容部１４４と、収容部１４４の前方に設けられた略円筒状の銃砲部１４５と、収容部１４４および銃砲部１４５の周縁に設けられた平板状のフランジ部１４６とを有しており、収容部１４４には、ソレノイド組立体１６０から熱を放出する通気孔１４７が形成されている。
【００２４】
銃砲部１４５には、ロッド１６７に対して共軸関係にある発射通路が形成されており、発射装置１１６に供給された遊技球は、発射通路に導入され、後述する発射台２２１に移動可能に保持されるようになっている。
【００２５】
銃砲部１４５の上部には、発射台２２１に保持された遊技球に係止し、発射台２２１上の遊技球を所定位置（以下、発射位置という）に保持する保持部１４９が設けられている。銃砲部１４５の下部には、発射台２２１が配置される略Ｖ字状のレール溝が形成されている。発射装置１１６は、発射位置に停止した遊技球をロッド１６７によって打撃することにより、遊技球を発射するようになっている。
【００２６】
第２ハウジング１４２は、図５（ｂ）に示すように、収容空間１４３の半分が形成された収容部１５５と、収容部１５５の周縁に設けられた平板状のフランジ部１５６とを有しており、収容部１５５には、ソレノイド組立体１６０から熱を放出する通気孔１５７が形成されている。
【００２７】
ソレノイド組立体１６０は、図５（ｃ）に示すように、金属によって形成された円筒状のケーシング１６１と、ケーシング１６１に保持され磁気回路を構成するソレノイド１６２と、ソレノイド１６２の前後端に結合された前軸受板１６３および後軸受板１６４と、ソレノイド１６２と前軸受板１６３および後軸受板１６４との間に介装された前緩衝板１６５および後緩衝板１６６と、ソレノイド１６２に対して往復運動自在に支持されたロッド１６７と、ロッド１６７を後方に付勢するスプリング１６８とを有している。
【００２８】
誘導レール１１８、１１９は、図６（ａ）、（ｂ）に示すように、金属によって形成された帯状の部材である。誘導レール１１９の端部には、遊技球を所定位置に保持するための略Ｖ字状の発射台２２１が設けられている。発射台２２１は、誘導レール１１９から延設されている。保持部１４９は、図４に示すように、発射台２２１とは独立して設けられており、誘導レール１１８、１１９は、発射装置１１６から分離されている。
【００２９】
このように構成されたパチンコ遊技機１００において、発射装置１１６は、ソレノイド１６２がロッド１６７のプランジャを吸引することにより、ロッド１６７を前進位置に移動させるようになっている。また、ソレノイド１６２がロッド１６７のプランジャを解放するとともにスプリング１６８がロッド１６７のプランジャを押圧することにより、ロッド１６７を後退位置に移動させるようになっている。そして、この動作を繰り返すことにより、ロッド１６７を前進位置および後退位置に往復直動させるようになっている。
【００３０】
以上説明したように、本実施形態では、誘導レール１１８、１１９が発射装置１１６から分離されているので、誘導レール１１８、１１９の振動が発射装置１１６に伝達されることがなく、発射装置１１６を外部振動から保護することができる。
【００３１】
また、本実施形態では、発射装置１１６のハウジング１４０に保持部１４９を設けるので、発射装置１１６の発射位置に対して保持部１４９の位置を正確に決めることができる。
【００３２】
また、本実施形態では、発射台２２１が誘導レール１１９を延設してなるので、発射装置１１６の発射位置に対して発射台２２１の位置を正確に決めることができる。
【００３３】
なお、本実施形態では、発射装置１１６が、ロッド１６７を直動させることにより遊技球を打撃するようになっているが、このような構成に限らず、ハンマー状の部材を回動させることにより遊技球を打撃するように構成してもよい。
【００３４】
【発明の効果】
以上説明したように、本発明によれば、発射装置を外部振動から保護することができる弾球遊技機を提供することができる。
【図面の簡単な説明】
【図１】本発明に係る弾球遊技機の一実施形態の斜視図である。
【図２】本発明に係る弾球遊技機の一実施形態の遊技盤の正面図である。
【図３】図１に示した弾球遊技機の発射装置および誘導部材の斜視図である。
【図４】図３に示した発射装置および誘導部材の正面図である。
【図５】図４に示した発射装置を示す図であり、（ａ）は、第１ハウジングの正面図、（ｂ）は、第２ハウジングの背面図、（ｃ）は、ソレノイドの断面図である。
【図６】図４に示した誘導部材を示す図であり、（ａ）は、誘導部材の正面図、（ｂ）は、（ａ）のＧ−Ｇ断面図である。
【符号の説明】
１００  パチンコ遊技機（弾球遊技機）
１１０  遊技領域
１１６  発射装置
１１８、１１９  誘導レール（誘導部材）
１４０  ハウジング
１４９  保持部
１６０  ソレノイド組立体
２２１  発射台
【図１】
2004230008.tif 000003
【図２】
2004230008.tif 000004
【図３】
2004230008.tif 000005
【図４】
2004230008.tif 000006
【図５】
2004230008.tif 000007
【図６】
2004230008.tif 000008